(57)【要約】【課題】  歯の汚れ及び歯周病菌を効率よく除去できる超音波歯ブラシを提案する。【解決手段】  歯ブラシ部２が着脱自在に装着される歯ブラシ固定部３ａを一端に設けた歯ブラシ駆動軸体３の他端に配設したレバー７の長孔７ａに、モータ軸５ａに設けた偏心カム６が係合し、モータ５の回転によりレバー７が歯ブラシ駆動軸体３の軸まわりに所定の回動角度で揺動動作するようにするとともに、歯ブラシ固定部３ａに埋設した超音波振動体４の振動エネルギーを歯ブラシ部２に設けた保水部となる専用の植毛２ａを介して、直接歯と歯茎の周辺に伝播するようにし、超音波振動と歯磨き用のブラシ２ｂの揺動運動によるブラッシング動作とが相まって効率よく歯の汚れを落とすことができるようにした。【選択図】  図１
2006042991.tif 000002
【特許請求の範囲】
【請求項１】
歯ブラシ部に超音波振動を伝播させる超音波歯ブラシにおいて、
前記歯ブラシ部の駆動機構を、
開口を有する把持体本体内の該開口から突出されかつ先端に前記歯ブラシ部を挿抜自在に装着され超音波振動体が設けられる一端と、前記把持体本体内に収納される他端とを有する中空の歯ブラシ駆動軸体と、
前記把持体本体内に配設され前記歯ブラシ駆動軸体を揺動自在に支持するガイド部品と、
前記歯ブラシ駆動軸体と略平行に回転軸が配されるモータと、
該モータの前記回転軸に固定される偏心カムと、
該偏心カムと係合する長孔を略中央から一端の側に有し、他端の穿孔に前記歯ブラシ駆動軸体の他端が略垂直に立設され、前記偏心カムの回転により前記歯ブラシ駆動軸体の軸心まわりに前記歯ブラシ駆動軸体が揺動運動できるレバーとから構成するとともに、
前記把持体本体内で前記把持体本体から立設される端子台に中継端子を設け、
前記超音波振動体への給電を、
一端を前記超音波振動体に接続し、前記歯ブラシ駆動軸体内を通して他端を前記中継端子に弛みなく接続される給電配線により行う
ことを特徴とする超音波歯ブラシ。
【請求項２】
請求項１に記載の超音波歯ブラシにおいて、
前記歯ブラシ部は、
前記歯ブラシ固定部と挿抜自在に装着される装着部と、
ブラシの植毛面の側で隣り合う第１の領域と第２の領域とを有し、
前記第１の領域に、前記歯ブラシ固定部に装着された状態で、前記超音波振動素子の前面側に対応させて保水部を設け、
前記第２の領域に、歯磨き用のブラシを植毛した
ことを特徴とする超音波歯ブラシ。
【請求項３】
請求項２に記載の超音波歯ブラシにおいて、
前記歯ブラシ部の前記第１の領域の前記保水部は、
微細穴又は溝を有する線状体が多数植設されてなる
ことを特徴とする超音波歯ブラシ。
【請求項４】
請求項２に記載の超音波歯ブラシにおいて、
前記歯ブラシ部の前記第１の領域の前記保水部は、
柔軟性と吸水性を有する多孔質材からなる
ことを特徴とする超音波歯ブラシ。
【発明の詳細な説明】
【技術分野】
【０００１】
本発明は、超音波の振動と、歯ブラシ部のブラッシング運動で歯の汚れを除去する超音波歯ブラシに関する。
【背景技術】
【０００２】
近年、細菌のかたまりである歯垢（プラーク）が虫歯や歯槽膿漏(歯周病)だけでなく、歯垢の原因菌の一つである歯周病原菌が 内臓疾患の一因にもなりうるということが明らかになり、健康維持の面からも歯垢を落として歯の清潔を保つこと（プラークコントロール）に関心が集まっている。この歯垢は歯の表面で糊状に粘り付いた汚れで人手によるブラッシングでは十分に除去できないため、歯垢の磨き残しをより少なくするために歯ブラシ部のブラシの毛が届く領域の歯と歯茎に超音波の振動エネルギーを伝播して歯周病菌や歯垢を除去することができる超音波歯ブラシが市販されている。
一方、従来から歯ブラシ部をモータで駆動して人手によるブラッシング動作を補助する電動歯ブラシも多種市販されている。
【０００３】
例えば、従来から知られている歯ブラシの毛を介して超音波振動を伝播させる超音波歯ブラシとしては、特許文献１に開示されているものがある。
この特許文献１には、超音波振動により歯を洗浄するための超音波歯ブラシが開示されている。この超音波歯ブラシは、柄の内部に設けた超音波発振手段から発振される超音波振動の出力を所定のものとして、植毛されたブラシを介して使用者の歯と歯茎及びその周辺の口腔組織へ向け伝播させるようにしたものである。
また、従来から知られている電動歯ブラシとしては、例えば特許文献２に開示されているものがある。この電動歯ブラシは、ケースに内蔵されておりかつ切換手段によって正逆方向に回転可能である駆動モータと、ケースに設けてある歯ブラシ体と、駆動モータの回転運動を変換して歯ブラシ体に所望の運動を伝達する運動変換装置とを具備する電動歯ブラシであり、運動変換装置とブラシ体とは連結棒によって連結してある。運動変換装置は、駆動モータの正方向回転運動を連結棒の往復運動（バス磨き）に変換する第１偏心カムと、駆動モータの逆方向回転運動を連結棒の揺動運動（ローリング磨き）に変換する第２偏心カムとは、それぞれ切換手段による駆動モータの回転方向の切り替えによって選択的に駆動されるようにしたものである。
【特許文献１】特開２００３−８８４２６号公報（２頁、図１）
【特許文献２】特開平８−３５７号公報（２頁、図２）
【発明の開示】
【発明が解決しようとする課題】
【０００４】
しかしながら、特許文献１に開示されている超音波歯ブラシでは、超音波の振動エネルギーで分子結合を切断して歯周病菌の除去あるいは歯や歯茎（はぐき）の周辺で歯垢の汚れ分子を浮かすことはできても、手操作によるブラッシングであるため汚れの除去効果に限度があった。また、特許文献２に開示されている電動歯ブラシでは、機械的に歯をブラッシングするもので歯面を効率的に擦ることができるが、ブラシが届かない歯間や歯と歯茎の間の汚れを掻き出すことはできず磨き残しを生じる不都合があった。
【０００５】
本発明は、かかる点に鑑み、磨き残しを少なくすることができるようにすることを目的とする。
【課題を解決するための手段】
【０００６】
上記課題を解決するため、本発明の超音波歯ブラシは、歯ブラシ部に超音波振動を伝播させる超音波歯ブラシにおいて、歯ブラシ部の駆動機構を、開口を有する把持体本体内の該開口から突出されかつ先端に歯ブラシ部を挿抜自在に装着され超音波振動体が設けられる一端と、把持体本体内に収納される他端とを有する中空の歯ブラシ駆動軸体と、把持体本体内に配設され歯ブラシ駆動軸体を揺動自在に支持するガイド部品と、歯ブラシ駆動軸体と略平行に回転軸が配されるモータと、このモータの回転軸に固定される偏心カムと、この偏心カムと係合する長孔を略中央から一端の側に有し、他端の穿孔に歯ブラシ駆動軸体の他端が略垂直に立設され、偏心カムの回転により歯ブラシ駆動軸体の軸心まわりに歯ブラシ駆動軸体が揺動運動できるレバーとから構成するとともに、把持体本体内で把持体本体から立設される端子台に中継端子を設け、超音波振動体への給電を、一端を超音波振動体に接続し、歯ブラシ駆動軸体内を通して他端を中継端子に弛みなく接続される給電配線により行うものである。
【０００７】
上述のように構成したため、本発明の超音波歯ブラシは、歯ブラシ駆動軸体の一端の歯ブラシ固定部の内部で生成された超音波振動が歯ブラシ部を介して歯間や歯と歯茎の周辺に直接超音波の振動エネルギーが印加されるとともに、モータの回転により歯ブラシ駆動軸体は、その軸まわりに揺動運動して歯ブラシ部のブラッシング動作が行なわれるようになる。そして、超音波振動体への給電配線が弛みなく接続されるため振動による共振が起こりにくくなり、超音波振動体と中継端子との距離が比較的大きく歯ブラシ駆動軸体の揺動角度が小さいため給電配線のねじれ角が小さくなり、給電配線のねじれ振動による疲労破壊を防ぎ、さらに給電配線の両端の固定部における接続信頼性を高くすることができる。
【０００８】
また、本発明は、上記に記載の超音波歯ブラシにおいて、歯ブラシ部は、歯ブラシ固定部と挿抜自在に装着される装着部と、ブラシの植毛面の側で隣り合う第１の領域と第２の領域とを有し、第１の領域に、歯ブラシ固定部に装着された状態で、超音波振動素子の前面側に対応させて保水部を設け、第２の領域に、歯磨き用のブラシを植毛したものである。
【０００９】
上述のように構成したため、本発明の超音波歯ブラシは、歯ブラシ駆動軸体に設けられた超音波振動体で生成された超音波振動が、歯ブラシ駆動軸体の歯ブラシ固定部を伝達し歯ブラシ部の第１の領域の保水部の水を介して伝播され、歯と歯茎の周辺に直接超音波の振動エネルギーが印加されるとともに、第２の領域に植毛されたブラシが、モータによりブラッシング動作を行なうものとなる。
【発明の効果】
【００１０】
本発明の超音波歯ブラシによれば、歯ブラシ固定部の内部で生成された超音波振動が歯ブラシ部の保水部を介して伝播され、歯と歯茎の周辺に直接超音波の振動エネルギーが印加されるとともに、歯ブラシ部に植毛されたブラシの揺動運動でブラッシング動作が行なわれるので、超音波振動とこの揺動運動とが相まって歯の汚れを効率よく除去させることができる。  
【発明を実施するための最良の形態】
【００１１】
以下、本発明超音波歯ブラシを実施するための最良の形態の例を図１〜図４を参照して説明する。
【００１２】
図１Ａ及びＢにおいて９は、手で把持される把持体本体を示し、この把持体本体９はプラスチック等の合成樹脂材料により射出成形法などで略円筒状に成形されており、その一端が閉成され、他端に開口９ａが設けられている。
また、把持体本体９は、開口９ａから突出するように歯ブラシ駆動軸体３が設けられ、この歯ブラシ駆動軸体３の先端に後述する超音波振動体４が埋設・固定された歯ブラシ固定部３ａを形成している。
【００１３】
歯ブラシ駆動軸体３は、図１Ｂ及び図３に示すように、剛性を有する例えばステンレススチールなどの金属あるいはカーボンファイバなど樹脂の中空パイプなどで作製する。この歯ブラシ駆動軸体３の先端に設けた歯ブラシ固定部３ａに、図４に示す歯ブラシ部２が着脱自在に装着される。また、この歯ブラシ固定部３ａは、図１Ａ及び図２に示すように、超音波振動体４が埋設されてプラスチックなどで一体に形成されている。
そして、把持体本体９内で歯ブラシ駆動軸体３の後端にこの歯ブラシ駆動軸体３をその軸まわりに揺動運動させる駆動機構を設けている。
【００１４】
以下、図１及び図２に示す、軸受１５ａ，１５ｂ、レバー７、偏心カム６、モータ５から構成されている歯ブラシ駆動軸体３の駆動機構を説明する。
把持体本体９には、図１Ｂに示すように、その開口９ａの内側に歯ブラシ駆動軸体３を挿通する孔を穿ったガイド部品であるボールベアリングによる軸受１５ａ，１５ｂを２つ設け、歯ブラシ駆動軸体３は軸受１５ａ，１５ｂに対して回動自在とされる。ここで、軸受１５ａ，１５ｂは、歯ブラシ駆動軸体３ががたなく嵌めあう穴径を有するものが選定される。なお、軸受１５ａ，１５ｂは、ボールベアリングなどの転がり軸受だけでなく、メタル（金属）又はプラスチックのブッシングなどによるすべり軸受も採用できる。
また、把持体本体９内側の歯ブラシ駆動軸体３の後端に、歯ブラシ駆動軸体３の軸まわりに所定の角度で揺動運動させる駆動機構の構成部品であるレバー７を設ける。
【００１５】
レバー７は、図２に示すように、一端側に孔が設けられ略中央から他端側にかけて長孔７ａが設けられた略長方形状のもので、一端側の孔に歯ブラシ駆動軸体３が略垂直となるように挿通されて固定される。
偏心カム６は、図２に示すように、円板の中心からずらした位置を回転軸としたものであり、円板の径をレバー７の長孔７ａの幅より僅かに小さく形成し、モータ軸５の軸５ａに固定する。そして、偏心カム６はレバー７の長孔７ａの中で回転自在に係合される。
【００１６】
この駆動機構は、図２に示すように、モータ５が回転しモータ軸５ａに固定した偏心カム６が回転すると、この偏心カム６と係合しているレバー７の長孔７ａの中を偏心カム６が回転しながら滑る。そして、レバー７自体がその一端で、軸受１５ａ，１５ｂで回転自在に支持されている歯ブラシ駆動軸体３に固定されているため、結局モータ５の回転によって歯ブラシ駆動軸体３は、その軸まわりに所定の回動角度内で往復運動（揺動運動）するものとなる。
そして、この歯ブラシ駆動軸体３の先端の歯ブラシ固定部３ａに設けられる歯ブラシ部２の揺動運動によるブラッシング動作が行われる。
なお、この揺動運動での歯ブラシ駆動軸体３の回動角度は、偏心カム６の円板中心と回転中心との偏心量、モータ軸５ａと歯ブラシ駆動軸体３との軸間距離により所定の値に決められる。
【００１７】
また、把持体本体９の内部には、図２及びこの図２に示す駆動機構を模式的に示す図３のように、レバー７とモータ５の間に把持体本体９の内壁から端子台９ｂを立設する。そして、この端子台９ｂに超音波振動体４への給電配線１１の中継端子１２（図３参照）を設ける。
また、把持体本体９内で駆動機構の開口９ａとは反対の奥側には、電池１６と回路基板８を収納固定し、把持体本体９の外面には図示しない押し釦構成の操作釦を設ける。ここで電池１６は、乾電池や充電できる二次電池などを用いることができる。
【００１８】
また、図２及び図３に示すように、把持体本体９内でモータ５と並設される回路基板８は、モータ制御回路と超音波発振回路とスイッチが設けられ、これらの回路に電池１６から直流電源を供給するようにする。そして、超音波発振回路は、図３に示すように、発振した超音波信号を把持体本体９内に設けられた電気配線１３、端子台９ｂの中継端子１２、中空の歯ブラシ駆動軸体３の中を通した電気配線１１を介して超音波振動体４に供給するようにしている。ここで電気配線１１は、絶縁被覆された細径の導電線であり、歯ブラシ駆動軸体３の中で弛みがないように、超音波振動体４と中継端子１３間にできるだけ歯ブラシ駆動軸体３の内壁に接しないように布設される。
なお、把持体本体９の外面に設けられる図示しない操作釦は、押圧により回路基板８上に設けられた図示しないスイッチを作動させ、回路基板８の超音波振動の発振回路とモータ５の制御回路の作動又は停止の切り替え動作を行なう。
【００１９】
歯ブラシ部２は、略直方体のプラスチックによる基部の図４Ａに示す上側に２種の毛が植毛されたものであり、この基部の下面に面取りするように傾斜面が設けられるとともに、この傾斜面とは反対側の短辺の側面から傾斜面に向けて略矩形の孔２-3が設けられる。また、図４Ｂに示すように、基部自体は歯ブラシ固定部３ａ（図２参照）に装着されたときの先端部を先細形状とする。
そして、上面側に段差を設け、図４B及びＣに示すように、毛２ａを稠密に植設し保水を行うための第１の領域２-1と、歯磨きブラシの毛２ｂを植毛し歯ブラシ部２ａの先端側に第２の領域２-2を形成する。
ここで、第１の領域２-1は、歯ブラシ固定部３ａが装着されたときその内部の超音波振動体４の前面に配されるように設けられる。また、孔２-3は、歯ブラシ駆動軸体３の歯ブラシ固定部３ａを装着するためのもので、図４Ｄに示すように、挿入位置決めのための段差が設けられる。
【００２０】
第１の領域２-1に稠密に植設される毛２ａは、例えば獣毛などの表面に凹凸があり保水機能を有するものが選ばれ、この第１の領域の保水部のみを交換することができるように構成される。また、第２の領域２-2に植毛されるブラシの毛２ｂは、いわゆるブラッシングに供されるものであり、適度のこしを有する獣毛あるいはプラスチックの線状体の先端が滑らかに加工されたものであり、所望の間隔で植設される。
【００２１】
このように構成された超音波歯ブラシは、模式図３に示すように、電気配線１１の一端を歯ブラシ駆動軸体３の後端側から引出した状態で超音波振動体４と歯ブラシ駆動軸体３を所定位置に配し、歯ブラシ固定部３ａを一体に樹脂成形する。そして、歯ブラシ駆動軸体３に、把持体本体９の開口９ａ側の第１のケース９-1内に配設されている軸受１５ａ，１５ｂに挿通した状態でレバー７を固定する。
そして、第１のケース９-1内に立設されている端子台９ｂの中継端子１２に電気配線１１を弛みがないように固定するとともに、一端に回路基板８の端子８ａとの接続コネクタ１３ａを設けた電気配線１３をこの中継端子１２に接続する。
このように歯ブラシ駆動軸体３が組み込まれた第１のケース９-1は、偏心カム６が固定されたモータ５、回路基板８、電池１６が配設され配線された第２のケース９-2に、回路基板８の端子８ａに電気配線１３の接続コネクタ１３ａを接続したのち、偏心カム６にレバー７の長孔７ａを係合するようにして組み込まれる。
【００２２】
このように構成された超音波歯ブラシによる歯磨きの操作は、まず、超音波の振動が伝播し易いように水でブラシの毛２ｂと保水用の毛２ａを濡らしてから歯磨き剤をつけて口腔内に入れ把持体本体９外面の操作釦を操作し、回路基板８の超音波発振回路とモータ制御回路などを作動させる。
これにより、歯ブラシ部２のモータ５による揺動運動と、超音波振動体４による超音波の振動の生成が開始される。
そして、生成された超音波振動は、超音波振動体４が埋設された歯ブラシ固定部３ａ→歯ブラシ部２の第１の領域２-1→保水部の毛２ａ→口腔内、と伝播され歯と歯茎の周辺に直接超音波の振動エネルギーが印加される。
ここで、超音波振動の伝播は、水の中では効率よく行われるものの、気泡により著しく阻害されるため、稠密に植設された保水用のブラシの毛２ａは、気泡を介在させることなく歯と歯茎の近くまで水の塊を保持し、歯と歯茎の近くまで超音波振動を効率よく伝播する機能を果たしている。
【００２３】
また、歯ブラシ部２のモータ５による揺動運動では、例えば歯ブラシ部２の第２の領域２−2の毛２ｂの先端で必要とされる移動量（ブラッシングのストローク）は±０．５〜±１ｍｍで、このとき歯ブラシ駆動軸体３の揺動運動における回動角は±２〜±６°程度と僅かである。
そして、この場合モータ軸５ａと歯ブラシ駆動軸体３との軸間距離を例えば５ｍｍとすると偏心カム６の偏心量は、０．１７ｍｍ（＝５tan２°）〜０．５２ｍｍ（＝５tan６°）となり、僅かの偏心量で所望の揺動運動を行わせることができる。
このため、モータ５の回転数は略１０，０００ｒｐｍ程度まで上げることができるとともに、偏心カム６の重心と回転軸とのずれに伴う振動を小さなものとすることができる。
【００２４】
すなわち、偏心カム６の回転中心の偏心量が小さく、モータ５の回転力が偏心カム６と係合するレバー７の長孔７ａを介して直にレバー７を揺動運動させるため、簡便な構成の駆動機構で、効率的にモータ５の回転運動を歯ブラシ駆動軸体３の揺動運動に変換することができる。
この結果、電池容量の大きいニッケル・水素電池やニッカド電池などの二次電池だけでなく、乾電池などの電池容量が比較的小さい電池１６でも長期間使用することができるとともに、把持体本体９自体の振動を従来の電動歯ブラシと比べて小さくすることができ、使用感に優れたものとなる。また、小容量の電池１６でも長期間駆動することができ、駆動機構自体も小さく構成することができるので、携行性に優れた超音波歯ブラシとすることができる。
【００２５】
また、本例では、超音波振動体４への給電配線１１は、歯ブラシ駆動軸体３の中で歯ブラシ固定部３ａから端子台９ｂの中継端子までに弛みをもたないように設けられるため、低周波の振動モードによる給電配線１１の共振があっても給電配線４が大きく振られることがなく、接続点で曲げの繰返し力を受けて損失を被ることがない。また、歯ブラシ駆動軸体３の揺動運動で給電配線１１自体が繰返しのねじり応力を受けても、給電配線１１の固定端となる歯ブラシ固定部３ａと中継端子１２とが離れておりねじれ角が小さいため、給電配線１１が繰返し力による疲労破壊を被ることがない。
【００２６】
本例の超音波歯ブラシによれば、歯ブラシ固定部３ａの内部で生成された超音波振動が歯ブラシ部２の第１の領域２-1のブラシの毛２ａを介して毛の先端まで伝播されて、ブラシの毛２ａが到達可能な範囲の歯と歯茎の周辺に直接超音波の振動エネルギーが印加され、第２の領域２-2の歯ブラシの毛２ｂの揺動運動でブラッシング動作が行なわれる。
このブラッシング動作での単位時間あたりの往復回数は、手操作によるブラッシングの往復回数と比べ格段に多くすることができるため、超音波の振動エネルギーで浮いた歯の汚れ分子を円滑に掻き出し除去することができる。すなわち、超音波振動と揺動運動とが相まって歯の汚れを効率的に除去させる構成を簡便に実現することができる。
【００２７】
なお、上述例では、歯ブラシ部２の上面で第1の領域２-1の保水部と第２の領域２-2の歯ブラシの植毛部を、歯ブラシ部２の前後で分けた例で説明したが、これに限らず、第1の領域２-1の保水部のまわりに第２の領域２-2の歯ブラシの毛２ｂを植毛するように配しても、混在して配するようにしてもよい。    
また、第１の領域２-1の保水部に配設する保水機能を有するものとしては、表面をうろこ状に規則正しく重なり合う毛表皮（キューティクル）で覆っている動物の毛などの他に、微細穴又は溝が形成された化学繊維などによる線状体が多数植設されてブラシ形状をなしたものや、柔軟性と吸水性を有する素材例えば羊毛、綿などの天然繊維をフェルト、脱脂綿状にしたものなどがあり、これを着脱自在に設けるようにしてもよい。
【００２８】
また、歯ブラシ部２の歯ブラシ固定部３ａへの装着を、歯ブラシ部２の設けた段差を有する略矩形の貫通した孔２-3に歯ブラシ固定部３ａを挿入装着することにより行うとして説明したが、略矩形孔２-3に限らずがたなく装着できれば段差がなくても他の孔形状でもよく、さらに超音波振動体４と第1の領域２-1の保水部と密着できれば他の取り付け構造でもよいのは勿論である。
また、超音波振動と揺動運動とを併用したブラッシングの際、上述例では水でブラシの毛２ｂと保水用の毛２ａを濡らしてから動作させるとして説明したが、超音波の振動をより確実に伝播させるためが、歯ブラシ固定部３ａと歯ブラシ部２の孔２-3の間に、水分を含むと粘着性を発揮し気泡が出ない、いわゆるクリーム状の入れ歯安定剤に類するものを介在させ気泡を発生しにくくするようにしてもよい。
【００２９】
また、超音波振動体４への給電配線１１を、端子台９ｂの中継端子１２に弛みなく設けるとして説明したが、超音波振動体４を埋設し歯ブラシ固定部３ａを成形する際、絶縁被覆された金属線又は樹脂の細線の一端を同時に埋設固定するとともに、この細線の他端を端子台９ｂに弛みなく固定し、細線に給電配線１１を巻き付けるようにして配線してもよい。すなわち、上述例では給電配線１１両端が固定されるため、弛みなく配線しようとすると多少なりとも給電配線１１にストレスを与えてしまうが、細線を弛みなく配設することにより固定部でのストレスをこの細線に担わせることができ、給電配線自体の繰返し曲げ応力によるダメージを回避することができる。
【００３０】
また、本発明は、上述例に限ることなく本発明の要旨を逸脱しない範囲で種々変更できるものである。
【図面の簡単な説明】
【００３１】
【図１】本発明超音波歯ブラシの実施の形態の例を示す、Ａは上方から見た断面模式図で、Ｂは側方から見た断面模式図である。
【図２】図１例の歯ブラシ部の駆動機構を透過して示した斜視図である。
【図３】図１例の歯ブラシ部の駆動機構の動作を説明するための断面模式図である。
【図４】図１例の歯ブラシ部を示す、Ａは斜視図、Ｂは上面図、ＣはＢの矢視Ｓ−Ｓでの断面図、Ｄは側面図である。
【符号の説明】
【００３２】
２…歯ブラシ部、２ａ…毛（保水部）、２ｂ…ブラシの毛、３…歯ブラシ駆動軸体、３ａ…歯ブラシ固定部、４…超音波振動体、５…モータ、５ａ…モータ軸、６…偏心カム、７…レバー
【図１】
2006042991.tif 000003
【図２】
2006042991.tif 000004
【図３】
2006042991.tif 000005
【図４】
2006042991.tif 000006